(57)【特許請求の範囲】
【請求項１】
基準信号供給装置から送信される同期のための基準信号を受けて、前記基準信号に同期した同期信号を生成する同期制御回路と、
管理サーバへ、前記基準信号供給装置の状態を表わす状態情報を自装置に搭載された基準信号を供給する装置の状態情報として標準規格の管理プロトコルに従って送信する供給源状態管理部とを備えた、無線基地局。
【請求項２】
前記基準信号供給装置は、独自プロトコルに従って、所定の周期で自装置の状態を表わす状態情報を送信し、
前記状態管理部は、前記基準信号供給装置から、前記所定の周期内に状態情報を受信しない場合には、前記管理サーバへ前記基準信号供給装置が異常状態であることを表わす状態情報を前記自装置に搭載された基準信号を供給する装置の状態情報として前記標準規格の管理プロトコルに従って送信する、請求項１記載の無線基地局。
【請求項３】
前記基準信号供給装置は、独自プロトコルに従って、自装置の状態を表わす状態情報を送信し、
前記状態管理部は、前記基準信号供給装置から、独自プロトコルに従って伝送される前記基準信号供給装置が異常状態であることを表わす状態情報を受信した場合に、前記管理サーバへ前記基準信号供給装置が異常状態であることを表わす状態情報を前記自装置に搭載された基準信号を供給する装置の状態情報として前記標準規格の管理プロトコルに従って送信する、請求項１記載の無線基地局。
【請求項４】
前記無線基地局は、さらに、
前記管理サーバから、前記標準規格の管理プロトコルに従って伝送される前記自装置に搭載された基準信号を供給する装置のリセット命令を受信した場合に、前記基準信号供給装置へ、リセット命令を独自プロトコルに従って送信する供給源制御部を備えた、請求項１記載の無線基地局。
【請求項５】
前記無線基地局は、さらに、
前記リセット命令を受信した場合に、無線信号の送信電力を低下させる電力制御部を備える、請求項４記載の無線基地局。
【請求項６】
複数個の無線基地局に接続された基準信号供給装置であって、
前記複数個の無線基地局のうち、少なくとも１つが請求項１〜５のいずれか１項に記載の無線基地局である第１の無線基地局であり、
基準信号を生成して、複数個の無線基地局に供給する基準信号生成部と、
独自プロトコルに従って、自装置の状態を表わす情報を前記少なくとも１つの第１の無線基地局へ送信する状態管理部とを備えた、基準信号供給装置。
【請求項７】
前記基準信号供給装置は、
前記少なくとも１つの第１の無線基地局および自装置に、プライベートＩＰアドレスを付与して、前記付与したプライベートＩＰアドレスを前記少なくとも１つの第１の無線基地局に通知するアドレス管理部を備える、請求項６記載の基準信号供給装置。
【請求項８】
前記基準信号供給装置は、
前記少なくとも１つの第１の無線基地局から、独自プロトコルに従って伝送されるリセット命令を受信した場合に、自装置のリセットを実行するリセット制御部を備えた、請求項７記載の基準信号供給装置。
【請求項９】
前記リセット制御部は、自装置のリセットを実行中に、前記少なくとも１つの第１の無線基地局から、前記独自プロトコルに従って伝送される新たなリセットを命令を受信した場合には、前記新たなリセット命令を無視する、請求項８記載の基準信号供給装置。
【請求項１０】
前記管理サーバおよび前記少なくとも１つの第１の無線基地局は、グローバルなＩＰアドレスが設定されており、
前記標準規格の管理プロトコルは、ＳＮＭＰである、請求項６〜９のいずれか１項に記載の基準信号供給装置。
【請求項１１】
複数個の無線基地局と、前記複数個の無線基地局に同期のための基準信号を供給する基準信号供給装置とからなる無線基地局システムであって、
前記複数個の無線基地局のうち、少なくとも１つが第１の無線基地局であり、
前記基準信号供給装置は、
基準信号を生成して、複数個の無線基地局に供給する基準信号生成部と、
独自プロトコルに従って、自装置の状態を表わす情報を前記少なくとも１つの第１の無線基地局へ送信する状態管理部とを備え、
前記少なくとも１つの第１の無線基地局は、
前記基準信号供給装置から送信される同期のための基準信号を受けて、前記基準信号に同期した同期信号を生成する同期制御回路と、
管理サーバへ、前記基準信号供給装置の状態を表わす状態情報を自装置に搭載された基準信号を供給する装置の状態情報として標準規格の管理プロトコルに従って送信する供給源状態管理部とを備えた、無線基地局システム。
【請求項１２】
複数個の無線基地局と、前記複数個の無線基地局に同期のための基準信号を供給する基準信号供給装置とからなる無線基地局システムの運用方法であって、
前記複数個の無線基地局のうち、少なくとも１つが第１の無線基地局であり、
前記基準信号供給装置が、基準信号を生成して、複数個の無線基地局に供給するステップと、
前記基準信号供給装置が、独自プロトコルに従って、自装置の状態を表わす情報を前記少なくとも１つの第１の無線基地局へ送信するステップと、
前記複数個の無線基地局が、前記基準信号供給装置から送信される同期のための基準信号を受けて、前記基準信号に同期した同期信号を生成するステップと、
前記少なくとも１つの第１の無線基地局が、管理サーバへ、前記基準信号供給装置の状態を表わす状態情報を自装置に搭載された基準信号を供給する装置の状態情報として標準規格の管理プロトコルに従って送信するステップとを備えた、無線基地局システムの運用方法。
【発明の詳細な説明】
【技術分野】
【０００１】
本発明は、無線基地局、基準信号供給装置、無線基地局システム、および無線基地局システムの運用方法に関し、特に、複数の無線基地局が同期して動作するための構成および方法に関する。
【背景技術】
【０００２】
従来から、セル方式の無線通信システムにおいて、隣接するセル間での送受信タイミングの同期化が知られている。より具体的には、あるセルにおける無線基地局とそのセルに含まれる端末装置との間の送受信タイミングを、隣接するセルにおける無線基地局とその隣接するセルに含まれる端末装置との間の送受信タイミングと一致させることで、隣接するセルの無線基地局と端末装置との間の干渉、および、端末装置間の干渉を抑制することができる。
【０００３】
このようなセル間での送受信タイミングの同期化を実現する一形態として、時刻情報を含む衛星からの信号を利用する構成が考えられる。現時点において、このような時刻情報を含む衛星からの信号の典型例としては、ＧＰＳ（Global Positioning System）衛星からのＧＰＳ信号が知られている。すなわち、ＧＰＳ衛星からのＧＰＳ信号を受信するためのＧＰＳ受信機を各無線基地局に設けて、各無線基地局が共通のＧＰＳ信号に基づいて、送受信タイミングを同期化するものである。
【０００４】
しかしながら、精度の高い同期信号を生成するＧＰＳモジュールは、高価であるため、コストをより低減するために、複数の無線基地局が１つの独立したＧＰＳ受信機を共用する形態が考えられている。たとえば、特開２０００−２３２６８８号公報（特許文献１）には、各基地局が、ＧＰＳ受信機に結合されたシステムが開示されている。このシステムでは、ＧＰＳ受信機がＧＰＳ衛星からのＧＰＳ信号を受信して、このＧＰＳ信号（基準信号）が複数の無線基地局での共通の時間的基準として用いられる。
【０００５】
一方、ＧＰＳ受信機の状態を監視するために、ＥＭＳ(Element Management System)が設置されている。従来のＥＭＳは、無線基地局に搭載したＧＰＳ受信機から送信される正常または故障を表わす状態情報に基づき、監視および制御を行なうための管理サーバである。ＥＭＳは、標準規格の管理プロトコルであるＳＮＭＰ（Simple Network Management Protocol）に基づいて、無線基地局を監視および制御している。
【先行技術文献】
【特許文献】
【０００６】
【特許文献１】特開２０００−２３２６８８号公報
【発明の概要】
【発明が解決しようとする課題】
【０００７】
しかしながら、管理サーバが、直接、共用して使用する独立したＧＰＳ受信機を監視および制御する場合には、そのＧＰＳ受信機に対してグローバルＩＰアドレスを付与しなければならない。なぜなら、ＥＭＳに共用の独立したＧＰＳ受信機を接続するためには、レイヤ３のスイッチを介して接続する必要があるからである。グローバルＩＰアドレスが不足している環境においては、同期のための基準信号を出力しているだけのＧＰＳ受信機に、グローバルＩＰアドレスを付与するのは好ましくない。
【０００８】
また、管理サーバが、直接、独立したＧＰＳ受信機を監視および制御する場合には、ＥＭＳに独立したＧＰＳ受信機を監視および制御するための機能を追加する必要がある。
【０００９】
それゆえに、本発明の目的は、共用の独立したＧＰＳ受信機にグローバルＩＰアドレスを付与することなく、かつＥＭＳに共用の独立したＧＰＳ受信機を監視および制御するための機能を追加することなく、共用の独立したＧＰＳ受信機の状態を監視および制御することができる無線基地局、基準信号供給装置、無線基地局システム、および無線基地局システムの運用方法を提供することである。
【課題を解決するための手段】
【００１０】
上記課題を解決するために、本発明は、基準信号供給装置から送信される同期のための基準信号を受けて、基準信号に同期した同期信号を生成する同期制御回路と、管理サーバへ、基準信号供給装置の状態を表わす状態情報を自装置に搭載された基準信号を供給する装置の状態情報として標準規格の管理プロトコルに従って送信する供給源状態管理部とを備える。
【００１１】
好ましくは、基準信号供給装置は、独自プロトコルに従って、所定の周期で自装置の状態を表わす状態情報を送信し、状態管理部は、基準信号供給装置から、所定の周期内に状態情報を受信しない場合には、管理サーバへ基準信号供給装置が異常状態であることを表わす状態情報を自装置に搭載された基準信号を供給する装置の状態情報として標準規格の管理プロトコルに従って送信する。
【００１２】
好ましくは、基準信号供給装置は、独自プロトコルに従って、自装置の状態を表わす状態情報を送信し、状態管理部は、基準信号供給装置から、独自プロトコルに従って伝送される基準信号供給装置が異常状態であることを表わす状態情報を受信した場合に、管理サーバへ基準信号供給装置が異常状態であることを表わす状態情報を自装置に搭載された基準信号を供給する装置の状態情報として標準規格の管理プロトコルに従って送信する。
【００１３】
好ましくは、無線基地局は、さらに、管理サーバから、標準規格の管理プロトコルに従って伝送される自装置に搭載された基準信号を供給する装置のリセット命令を受信した場合に、基準信号供給装置へ、リセット命令を独自プロトコルに従って送信する供給源制御部を備える。
【００１４】
好ましくは、無線基地局は、さらに、リセット命令を受信した場合に、無線信号の送信電力を低下させる電力制御部を備える。
【００１５】
本発明は、複数個の無線基地局に接続された基準信号供給装置であって、複数個の無線基地局のうち、少なくとも１つが上記の無線基地局である第１の無線基地局であり、基準信号を生成して、複数個の無線基地局に供給する基準信号生成部と、独自プロトコルに従って、自装置の状態を表わす情報を少なくとも１つの第１の無線基地局へ送信する状態管理部とを備える。
【００１６】
好ましくは、基準信号供給装置は、少なくとも１つの第１の無線基地局および自装置に、プライベートＩＰアドレスを付与して、付与したプライベートＩＰアドレスを少なくとも１つの第１の無線基地局に通知するアドレス管理部を備える。
【００１７】
好ましくは、基準信号供給装置は、少なくとも１つの第１の無線基地局から、独自プロトコルに従って伝送されるリセット命令を受信した場合に、自装置のリセットを実行するリセット制御部を備える。
【００１８】
好ましくは、リセット制御部は、自装置のリセットを実行中に、少なくとも１つの第１の無線基地局から、独自プロトコルに従って伝送される新たなリセットを命令を受信した場合には、新たなリセット命令を無視する。
【００１９】
好ましくは、管理サーバおよび少なくとも１つの第１の無線基地局は、グローバルなＩＰアドレスが設定されており、標準規格の管理プロトコルは、ＳＮＭＰである。
【００２０】
本発明は、複数個の無線基地局と、複数個の無線基地局に同期のための基準信号を供給する基準信号供給装置とからなる無線基地局システムであって、複数個の無線基地局のうち、少なくとも１つが第１の無線基地局であり、基準信号供給装置は、基準信号を生成して、複数個の無線基地局に供給する基準信号生成部と、独自プロトコルに従って、自装置の状態を表わす情報を少なくとも１つの第１の無線基地局へ送信する状態管理部とを備え、少なくとも１つの第１の無線基地局は、基準信号供給装置から送信される同期のための基準信号を受けて、基準信号に同期した同期信号を生成する同期制御回路と、管理サーバへ、基準信号供給装置の状態を表わす状態情報を自装置に搭載された基準信号を供給する装置の状態情報として標準規格の管理プロトコルに従って送信する供給源状態管理部とを備える。
【００２１】
本発明は、複数個の無線基地局と、複数個の無線基地局に同期のための基準信号を供給する基準信号供給装置とからなる無線基地局システムの運用方法であって、複数個の無線基地局のうち、少なくとも１つが第１の無線基地局であり、基準信号供給装置が、基準信号を生成して、複数個の無線基地局に供給するステップと、基準信号供給装置が、独自プロトコルに従って、自装置の状態を表わす情報を少なくとも１つの第１の無線基地局へ送信するステップと、複数個の無線基地局が、基準信号供給装置から送信される同期のための基準信号を受けて、基準信号に同期した同期信号を生成するステップと、少なくとも１つの第１の無線基地局が、管理サーバへ、基準信号供給装置の状態を表わす状態情報を自装置に搭載された基準信号を供給する装置の状態情報として標準規格の管理プロトコルに従って送信するステップとを備える。
【発明の効果】
【００２２】
本発明によれば、共用の独立したＧＰＳ受信機にグローバルＩＰアドレスを付与することなく、かつＥＭＳに共用の独立したＧＰＳ受信機を監視および制御するための機能を追加することなく、共用の独立したＧＰＳ受信機の状態を監視および制御することができる。
【図面の簡単な説明】
【００２３】
【図１】本発明の実施形態の無線基地局システムの構成を表わす図である。
【図２】本発明の実施形態のＧＰＳユニットの構成を表わす図である。
【図３】本発明の実施形態の無線基地局の構成を表わす図である。
【図４】本発明の実施形態のＧＰＳユニットと、無線基地局と、ＥＭＳの動作例を表わす図である。
【図５】本発明の実施形態のＧＰＳユニットと、無線基地局と、ＥＭＳの別の動作例を表わす図である。
【発明を実施するための形態】
【００２４】
以下、本発明の実施形態について図面を参照して説明する。
（無線基地局システムの構成）
図１は、本発明の実施形態の無線基地局システムの構成を表わす図である。
【００２５】
図１を参照して、この無線基地局システム１は、複数のドメイン５０Ａ，５０Ｂを含む。
【００２６】
ドメイン５０Ａは、１つのＧＰＳユニット３Ａと、ＧＰＳユニット３Ａに通信ケーブル５２Ａ＿１〜５２Ａ＿Ｎを介して接続された複数の無線基地局２Ａ＿１〜２Ａ＿Ｎとを備える。
【００２７】
ＧＰＳユニット３Ａから、ドメイン５０Ａ内の複数の無線基地局２Ａ＿１〜２Ａ＿Ｎへ通信ケーブル５２Ａ＿１〜５２Ａ＿Ｎを介して基準信号が供給される。これにより、ドメイン５０Ａ内の複数の無線基地局２Ａ＿１〜２Ａ＿Ｎは、受信した基準信号に同期して動作する。
【００２８】
さらに、ＧＰＳユニット３Ａは、レイヤ２スイッチ（Ｌ２ＳＷ）４Ａとイーサーネット（登録商標）５３Ａで接続される。レイヤ２スイッチ（Ｌ２ＳＷ）４Ａは、さらにイーサーネット５１Ａ＿１〜５１Ａ＿Ｎを介して無線基地局２Ａ＿１〜２Ａ＿Ｎに接続される。レイヤ２スイッチ（Ｌ２ＳＷ）４Ａは、ＯＳＩ（Open Systems Interconnection）参照モデルにおけるレイヤ２（データリンク層）に属するスイッチである。レイヤ２スイッチ（Ｌ２ＳＷ）４Ａで接続されたＧＰＳユニット３Ａと、無線基地局２Ａ＿１〜２Ａ＿Ｎとの間は、プライベートＩＰアドレスを用いた独自のプロトコルに従って管理および制御のための情報が伝送される。
【００２９】
同様に、ドメイン５０Ｂは、１つのＧＰＳユニット３Ｂと、ＧＰＳユニット３Ｂに通信ケーブル５２Ｂ＿１〜５２Ｂ＿Ｎを介して接続された複数の無線基地局２Ｂ＿１〜２Ｂ＿Ｎとを備える。
【００３０】
ＧＰＳユニット３Ｂから、ドメイン５０Ｂ内の複数の無線基地局２Ｂ＿１〜２Ｂ＿Ｎへ通信ケーブル５２Ｂ＿１〜５２Ｂ＿Ｎを介して基準信号が供給される。これにより、ドメイン５０Ｂ内の複数の無線基地局２Ｂ＿１〜２Ｂ＿Ｎは、受信した基準信号に同期して動作する。
【００３１】
さらに、ＧＰＳユニット３Ｂは、レイヤ２スイッチ（Ｌ２ＳＷ）４Ｂとイーサネット（登録商標）５３Ｂで接続される。レイヤ２スイッチ（Ｌ２ＳＷ）４Ｂは、さらにイーサーネット５１Ｂ＿１〜５１Ｂ＿Ｎを介して無線基地局２Ｂ＿１〜２Ｂ＿Ｎに接続される。レイヤ２スイッチ（Ｌ２ＳＷ）４Ｂは、ＯＳＩ参照モデルにおけるレイヤ２（データリンク層）に属するスイッチである。レイヤ２スイッチ（Ｌ２ＳＷ）４Ｂで接続されたＧＰＳユニット３Ｂと、無線基地局２Ｂ＿１〜２Ｂ＿Ｎとの間は、プライベートＩＰアドレスを用いた独自のプロトコルに従って管理および制御のための情報が伝送される。
【００３２】
無線基地局２Ａ＿１〜２Ａ＿Ｎ，２Ｂ＿１〜２Ｂ＿Ｎは、さらに、イーサネット（登録商標）５４Ａ＿１〜５４＿Ｎ、５４Ｂ＿１〜５４＿Ｎを介してレイヤ３スイッチ（Ｌ３ＳＷ）５と接続される。レイヤ３スイッチ（Ｌ３ＳＷ）５は、さらに、イーサネット（登録商標）５５を介して管理サーバであるＥＭＳ６に接続される。
【００３３】
レイヤ３スイッチ（Ｌ３ＳＷ）５は、ＯＳＩ参照モデルにおけるレイヤ３（ネットワーク層）に属するスイッチである。レイヤ３スイッチ（Ｌ３ＳＷ）５で接続されたＥＭＳ６と、無線基地局２Ａ＿１〜２Ａ＿Ｎ，２Ｂ＿１〜２Ｂ＿Ｎとの間は、グローパルＩＰアドレスを用いたＳＮＭＰに従って管理および制御のための情報が伝送される。
【００３４】
なお、以下の説明では、複数のＧＰＳユニット３Ａ、３Ｂを代表して、ＧＰＳユニット３と称し、複数の無線基地局２Ａ＿１〜２Ａ＿Ｎ、２Ｂ＿１〜２Ｂ＿Ｎを代表して、無線基地局２と称することもある。
【００３５】
（ＧＰＳユニット３の構成）
図２は、本発明の実施形態のＧＰＳユニット３の構成を表わす図である。
【００３６】
図２を参照して、ＧＰＳユニット３は、アンテナ１３と、基準信号生成部１２と、リセット制御部１４と、アドレス管理部１６と、状態管理部１８と、通信Ｉ／Ｆ部１５とを備える。
【００３７】
アンテナ１３は、ＧＰＳ衛星からのＧＰＳ信号を受信する。
基準信号生成部１２は、受信したＧＰＳ信号に含まれる時刻情報に基づいて、タイミング信号である基準信号を一定の周期で生成して、複数の無線基地局２へ送信する。
【００３８】
アドレス管理部１６は、自装置（ＧＰＳユニット３）および複数の無線基地局２の各々にプライベートＩＰアドレスを付与する。アドレス管理部１６は、付与したプライベートＩＰアドレスを保持管理するとともに、通信Ｉ／Ｆ部１５を通じて、複数の無線基地局２に対して、設定したプライベートＩＰアドレスを通知する。
【００３９】
状態管理部１８は、一定の送信周期が経過するごとに、自装置の状態情報を独自プロトコルに従って送信する。
【００４０】
状態管理部１８は、ＧＰＳ衛星からの信号の捕捉が可能となった結果基準信号の供給が可能となった場合に、複数の無線基地局２に対して、基準信号がイネーブルであることを表わす情報を独自プロトコルに従って送信する。
【００４１】
また、状態管理部１８は、自装置の状態が正常の場合に、複数の無線基地局２に対して、自装置が正常状態であることを表わす状態情報を独自プロトコルに従って送信する。
【００４２】
また、状態管理部１８は、ＧＰＳ衛星からの信号が捕捉できないホールドオーバー状態となった場合に、複数の無線基地局２に対して、自装置が異常状態の一種であるホールドオーバー状態であることを表わす状態情報を独自プロトコルに従って送信する。
【００４３】
リセット制御部１４は、独自プロトコルに従って伝送されるリセット命令を受信した場合に、自装置のリセットを実行する。リセット制御部１４は、リセットを実行中に、新たなリセット命令を受信した場合には、そのリセット指示を拒絶する。
【００４４】
通信Ｉ／Ｆ部１５は、プライベートＩＰアドレスを用いた独自プロトコルに従って、無線基地局２との間で情報をやりとりする。
【００４５】
（無線基地局の構成）
図３は、本発明の実施形態の無線基地局の構成を表わす図である。
【００４６】
図３を参照して、この無線基地局２は、アンテナ２８，２９と、送受信回路２１と、ＰＬＬ回路２３と、第１の通信Ｉ／Ｆ部２４と、第２の通信Ｉ／Ｆ部２５と、アドレス管理部２７と、ＧＰＳ状態管理部２６と、電力制御部２２と、周期タイマ３１とを備える。
【００４７】
アンテナ２８，２９は、無線端末からの無線信号を受信し、無線端末への無線信号を送信する。
【００４８】
ＰＬＬ回路２３は、ＧＰＳユニット３から周期的に送信される基準信号を元にフィードバック制御を加えて、基準信号の位相に同期した同期信号を生成する。
【００４９】
送受信回路２１は、アンテナ２８，２９から出力される無線端末からの信号を受信処理し、アンテナ２８，２９を通じて出力する無線端末への信号を送信処理する。送受信回路２１は、たとえば、符号化回路、変調回路、復号回路、復調回路、ＭＩＭＯ(Multi In Multi Output)信号処理部などを含む。送受信回路２１は、ＰＬＬ回路２３から出力される同期信号に従って、送受信処理を行なう。
【００５０】
第１の通信Ｉ／Ｆ部２４は、プライベートＩＰアドレスを用いた独自プロトコルに従って、ＧＰＳユニット３との間で情報をやりとりする。
【００５１】
第２の通信Ｉ／Ｆ部２５は、グローバルＩＰアドレスを用いた標準規格のプロトコルであるＳＮＭＰに従って、ＥＭＳ６との間で情報をやりとりする。ＳＮＭＰは、ＴＣＰ／ＩＰ（Transmission Control Protocol/Internet Protocol）のネットワークに接続された通信機器をネットワーク経由で監視および制御するためのプロトコルである。
【００５２】
アドレス管理部２７は、ＧＰＳユニット３から送信されるＧＰＳユニット３のプライベートＩＰアドレスおよび自装置（無線基地局）のプライベートＩＰアドレスを受信し、受信したプライベートＩＰアドレスを保持管理する。アドレス管理部２７は、さらに自装置およびＥＭＳ６のグローバルＩＰアドレスを管理する。
【００５３】
周期タイマ３１は、ＧＰＳユニット３からの状態情報の送信周期が経過するごとに、ＧＰＳ状態管理部２６に送信周期が経過したことを通知する。
【００５４】
ＧＰＳ状態管理部２６は、独自プロトコルに従ってＧＰＳユニット３から伝送される基準信号がイネーブルであることを表わす情報を受信する。
【００５５】
ＧＰＳ状態管理部２６は、独自プロトコルに従ってＧＰＳユニット３から伝送されるＧＰＳユニット３が正常状態であることを表わす状態情報を受信すると、ＥＭＳ６に対して、ＧＰＳユニット３が正常状態であることを表わす状態情報を自装置に搭載されたＧＰＳ受信機の状態情報としてＳＮＭＰに従って送信する。
【００５６】
ＧＰＳ状態管理部２６は、独自プロトコルに従ってＧＰＳユニット３から伝送されるＧＰＳユニット３が異常状態の一種であるホールドオーバー状態であることを表わす状態情報を受信すると、ＥＭＳ６に対して、ＧＰＳユニット３がホールドオーバー状態であることを表わす状態情報を自装置に搭載されたＧＰＳ受信機の状態情報としてＳＮＭＰに従って送信する。
【００５７】
ＧＰＳ状態管理部２６は、ＳＮＭＰに従ってＥＭＳ６から伝送される自装置に搭載されたＧＳＰ受信機をリセットする命令を受信すると、ＧＰＳユニット３に対して、リセット命令を独自プロトコルに従って送信する。
【００５８】
ＧＰＳ状態管理部２６は、周期タイマ３１から状態情報の送信周期が経過したことの通知を受けた時点で、ＧＰＳユニット３からの状態情報を受信してない場合に、ＥＭＳ６に対して、ＧＰＳユニット３が異常状態の一種である同期異常状態であることを表わす状態情報を自装置に搭載されたＧＰＳ受信機の状態情報としてＳＮＭＰに従って送信する。
【００５９】
電力制御部２２は、ＥＭＳ６からリセット命令を受信した場合に、無線信号の送信電力を低下させる。これにより、カバーするエリアを狭くして、他の無線基地局および無線端末からの信号とできるだけ干渉しないようにする。
【００６０】
（動作例１）
図４は、本発明の実施形態のＧＰＳユニット３と、無線基地局２と、ＥＭＳ６の動作例を表わす図である。図４において、無線基地局２の動作は、複数の無線基地局２のうちのいずれか１つの動作を代表して表わしたものである。
【００６１】
まず、ＧＰＳユニット３のアドレス管理部１６は、自装置（ＧＰＳユニット３）および複数の無線基地局２の各々にプライベートＩＰアドレスを付与する。アドレス管理部１６は、付与したプライベートＩＰアドレスを保持管理する。アドレス管理部１６は、通信Ｉ／Ｆ部１５を通じて、複数の無線基地局２に対して、設定した自装置のプライベートＩＰアドレスと、その無線基地局２のプライベートＩＰアドレスを通知する（ステップＳ１０１）。
【００６２】
次に、無線基地局２のアドレス管理部２７は、第１の通信Ｉ／Ｆ部２４を通じて、ＧＰＳユニット３のプライベートＩＰアドレスおよび自装置（無線基地局２）のプライベートＩＰアドレスを受信し、受信したプライベートＩＰアドレスを保持管理する（ステップＳ１０２）。
【００６３】
次に、ＧＰＳユニット３の状態管理部１８は、ＧＰＳ衛星からの信号の捕捉が可能となった結果基準信号の供給が可能となった場合に、通信Ｉ／Ｆ部１５を通じて、複数の無線基地局２に対して、基準信号がイネーブルであることを表わす情報を独自プロトコルに従って送信する（ステップＳ１０３）。
【００６４】
次に、無線基地局２のＧＰＳ状態管理部２６は、第１の通信Ｉ／Ｆ部２４を通じて、独自プロトコルに従って伝送される基準信号がイネーブルであることを表わす情報を受信する（ステップＳ１０４）。
【００６５】
次に、ＧＰＳユニット３の基準信号生成部１２は、基準信号の生成を開始して、生成した基準信号を複数の無線基地局２へ送信する（ステップＳ１０５）。
【００６６】
次に、無線基地局２のＰＬＬ回路２３は、基準信号を受信して、基準信号の位相に同期した同期信号を生成する。これにより、送受信回路２１は、ＰＬＬ回路２３から出力される同期信号に従って、動作する（ステップＳ１０６）。
【００６７】
次に、ＧＰＳユニット３の状態管理部１８は、自装置の状態が正常の場合に、通信Ｉ／Ｆ部１５を通じて、複数の無線基地局２に対して、自装置が正常状態であることを表わす状態情報を一定の周期で独自プロトコルに従って送信する（ステップＳ１０７）。
【００６８】
次に、無線基地局２のＧＰＳ状態管理部２６は、第１の通信Ｉ／Ｆ部２４を通じて、独自プロトコルに従って伝送されるＧＰＳユニット３が正常状態であることを表わす状態情報を受信する（ステップＳ１０８）。
【００６９】
次に、無線基地局２のＧＰＳ状態管理部２６は、第２の通信Ｉ／Ｆ部２５を通じて、ＥＭＳ６に対して、ＧＰＳユニット３が正常状態であることを表わす状態情報を自装置に搭載されたＧＰＳ受信機の状態情報としてＳＮＭＰに従って送信する（ステップＳ１０９）。
【００７０】
次に、ＥＭＳ６は、ＳＮＭＰに従って伝送された無線基地局２に搭載されたＧＰＳ受信機が正常状態であることを表わす状態情報を受信する（ステップＳ１１０）。
【００７１】
次に、ＧＰＳユニット３の状態管理部１８は、ＧＰＳ衛星からの信号が捕捉できないホールドオーバー状態となった場合に（ステップＳ１１１）、通信Ｉ／Ｆ部１５を通じて、複数の無線基地局２に対して、自装置がホールドオーバー状態であることを表わす状態情報を独自プロトコルに従って送信する（ステップＳ１１２）。
【００７２】
次に、無線基地局２のＧＰＳ状態管理部２６は、第１の通信Ｉ／Ｆ部２４を通じて、独自プロトコルに従って伝送されるＧＰＳユニット３がホールドオーバー状態であることを表わす状態情報を受信する（ステップＳ１１３）。
【００７３】
次に、無線基地局２のＧＰＳ状態管理部２６は、第２の通信Ｉ／Ｆ部２５を通じて、ＥＭＳ６に対して、ＧＰＳユニット３がホールドオーバー状態であることを表わす状態情報を自装置に搭載されたＧＰＳ受信機の状態情報としてＳＮＭＰに従って送信する（ステップＳ１１４）。
【００７４】
次に、ＥＭＳ６は、ＳＮＭＰに従って伝送された無線基地局２に搭載されたＧＰＳ受信機がホールドオーバー状態であることを表わす状態情報を受信する（ステップＳ１１５）。
【００７５】
次に、ＥＭＳ６は、ＧＰＳ受信機がホールドオーバー状態であることを表わす状態情報を送信した無線基地局２に対して、ＧＰＳ受信機をリセットする命令をＳＮＭＰに従って、送信する（ステップＳ１１６）。
【００７６】
次に、無線基地局２のＧＰＳ状態管理部２６は、第２の通信Ｉ／Ｆ部２５を通じて、ＳＮＭＰに従って伝送されるＧＳＰ受信機をリセットする命令を受信する（ステップＳ１１７）。
【００７７】
次に、無線基地局２のＧＰＳ状態管理部２６は、第１の通信Ｉ／Ｆ部２４を通じて、ＧＰＳユニット３に対して、リセット命令を独自プロトコルに従って送信する（ステップＳ１１８）。
【００７８】
次に、無線基地局２の電力制御部２２は、ＧＰＳ状態管理部２６からの指示で、送受信回路２１から送信する無線信号の送信電力を低下させる（ステップＳ１１９）。
【００７９】
次に、ＧＰＳユニット３のリセット制御部１４は、通信Ｉ／Ｆ部１５を通じて、独自プロトコルに従って伝送されるリセット命令を受信する（ステップＳ１２０）。
【００８０】
次に、リセット制御部１４は、現在リセットを実行中でない場合に（ステップＳ１２１でＹＥＳ）、リセットを実行する（ステップＳ１２２）。リセット制御部１４は、現在リセットを実行中の場合には（ステップＳ１２１でＮＯ）、受信した新たなリセット命令を無視する。
【００８１】
（動作例２）
図５は、本発明の実施形態のＧＰＳユニット３と、無線基地局２と、ＥＭＳ６の別の動作例を表わす図である。図５において、無線基地局２の動作は、複数の無線基地局２のうちのいずれか１つの動作を代表して表わしたものである。
【００８２】
まず、ＧＰＳユニット３のアドレス管理部１６は、自装置（ＧＰＳユニット３）および複数の無線基地局２の各々にプライベートＩＰアドレスを付与する。アドレス管理部１６は、付与したプライベートＩＰアドレスを保持管理する。アドレス管理部１６は、通信Ｉ／Ｆ部を通じて、複数の無線基地局２に対して、設定した自装置のプライベートＩＰアドレスと、その無線基地局２のプライベートＩＰアドレスを通知する（ステップＳ２０１）。
【００８３】
次に、無線基地局２のアドレス管理部２７は、第１の通信Ｉ／Ｆ部２４を通じて、ＧＰＳユニット３のプライベートＩＰアドレスおよび自装置（無線基地局２）のプライベートＩＰアドレスを受信し、受信したプライベートＩＰアドレスを保持管理する（ステップＳ２０２）。
【００８４】
次に、ＧＰＳユニット３の状態管理部１８は、ＧＰＳ衛星からの信号の捕捉が可能となった結果基準信号の供給が可能となった場合に、通信Ｉ／Ｆ部１５を通じて、複数の無線基地局２に対して、基準信号がイネーブルであることを表わす情報を独自プロトコルに従って送信する（ステップＳ２０３）。
【００８５】
次に、無線基地局２のＧＰＳ状態管理部２６は、第１の通信Ｉ／Ｆ部２４を通じて、独自プロトコルに従って伝送される基準信号がイネーブルであることを表わす情報を受信する（ステップＳ２０４）。
【００８６】
次に、ＧＰＳユニット３の基準信号生成部１２は、基準信号の生成を開始して、生成した基準信号を複数の無線基地局２へ送信する（ステップＳ２０５）。
【００８７】
次に、無線基地局２のＰＬＬ回路２３は、基準信号を受信して、基準信号の位相に同期した同期信号を生成する。これにより、送受信回路２１は、ＰＬＬ回路２３から出力される同期信号に従って、動作する（ステップＳ２０６）。
【００８８】
次に、ＧＰＳユニット３の状態管理部１８は、自装置の状態が正常の場合に、通信Ｉ／Ｆ部１５を通じて、複数の無線基地局２に対して、自装置が正常状態であることを表わす状態情報を一定周期で独自プロトコルに従って送信する（ステップＳ２０７）。
【００８９】
次に、無線基地局２のＧＰＳ状態管理部２６は、第１の通信Ｉ／Ｆ部２４を通じて、独自プロトコルに従って伝送されるＧＰＳユニット３が正常状態であることを表わす状態情報を受信する（ステップＳ２０８）。
【００９０】
次に、無線基地局２のＧＰＳ状態管理部２６は、第２の通信Ｉ／Ｆ部２５を通じて、ＥＭＳ６に対して、ＧＰＳユニット３が正常状態であることを表わす状態情報を自装置に搭載されたＧＰＳ受信機の状態情報としてＳＮＭＰに従って送信する（ステップＳ２０９）。
【００９１】
次に、ＥＭＳ６は、ＳＮＭＰに従って伝送される無線基地局２に搭載されたＧＰＳ受信機が正常状態であることを表わす状態情報を受信する（ステップＳ１１０）。
【００９２】
次に、ＧＰＳユニット３で故障が発生したために、基準信号が送信できない状態となった場合に（ステップＳ２１１）、無線基地局２のＧＰＳ状態管理部２６は、周期タイマ３１から状態情報の送信周期が経過したことの通知を受け、前回状態情報を受信してから状態情報の送信周期内に状態情報が受信していないことを検出する（ステップＳ２１２）。
【００９３】
次に、無線基地局２のＧＰＳ状態管理部２６は、第２の通信Ｉ／Ｆ部２５を通じて、ＥＭＳ６に対して、ＧＰＳユニット３が同期異常状態であることを表わす状態情報を自装置に搭載されたＧＰＳ受信機の状態情報としてＳＮＭＰに従って送信する（ステップＳ２１３）。
【００９４】
次に、ＥＭＳ６は、ＳＮＭＰに従って伝送される無線基地局２に搭載されたＧＰＳ受信機が同期異常状態であることを表わす状態情報を受信する（ステップＳ２１４）。
【００９５】
次に、ＥＭＳ６は、ＧＰＳ受信機が同期異常状態であることを表わす状態情報を送信した無線基地局２に対して、ＧＰＳ受信機をリセットする命令をＳＮＭＰに従って、送信する（ステップＳ２１５）。
【００９６】
次に、無線基地局２のＧＰＳ状態管理部２６は、第２の通信Ｉ／Ｆ部２５を通じて、ＳＮＭＰに従って伝送されるＧＳＰ受信機をリセットする命令を受信する（ステップＳ２１６）。
【００９７】
次に、無線基地局２の電力制御部２２は、ＧＰＳ状態管理部２６からの指示で、送受信回路２１から送信する無線信号の送信電力を低下させる（ステップＳ２１７）。
【００９８】
次に、無線基地局２のＧＰＳ状態管理部２６は、第１の通信Ｉ／Ｆ部２４を通じて、ＧＰＳユニット３に対して、リセット命令を独自プロトコルに従って送信する（ステップＳ２１８）。
【００９９】
次に、ＧＰＳユニット３のリセット制御部１４は、通信Ｉ／Ｆ部１５を通じて、独自プロトコルに従って伝送されるリセット命令を受信する（ステップＳ２１９）。
【０１００】
次に、リセット制御部１４は、現在リセットを実行中でない場合に（ステップＳ２２０でＹＥＳ）、リセットを実行する（ステップＳ２２１）。リセット制御部１４は、現在リセットを実行中の場合には（ステップＳ２２０でＮＯ）、受信した新たなリセット命令を無視する。
【０１０１】
以上のように、本発明の実施形態によれば、無線基地局と共用の独立したＧＰＳユニットとの間でプライベートＩＰアドレスを用いた独立したプロトコルで管理および制御のための情報を伝送する。無線基地局が、ＧＰＳユニットの管理および制御のための情報を自己に搭載したＧＰＳ受信機の情報としてＥＭＳに伝送する。これにより、ＧＰＳユニットとＥＭＳとの間で管理および制御のための情報を直接伝送する必要がないので、ＧＰＳユニットにグローバルＩＰアドレスを付与しなくてもよく、またＥＭＳにＧＰＳユニットを監視および制御するための機能を追加しなくてもよいようにすることができる。
【０１０２】
（変形例）
本発明は、上記の実施形態に限定されるものではなく、たとえば以下のような変形例も含む。
【０１０３】
（１）  ＧＰＳユニットを管理する無線基地局
本発明の実施形態では、１つのＧＰＳユニットが基準信号を供給している無線基地局のすべてがプライベートＩＰアドレスを有し、そのＧＰＳユニットとの間で独自プロトコルに従って、状態情報およびリセット命令を伝送したが、これに限定するものではない。
【０１０４】
ＧＰＳユニットから基準信号を受けている複数の無線基地局のうちの少なくとも１つの無線基地局のみに管理機能を持たせることとしてよい。
【０１０５】
すなわち、少なくとも１つの無線基地局がプライベートＩＰアドレスを有し、ＧＰＳユニットとの間で独自プロトコルに従って、状態情報およびリセット命令を伝送するようにしてもよい。
【０１０６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０７】
１  無線基地局システム、２，２Ａ＿１〜２Ａ＿Ｎ，２Ｂ＿１〜２Ｂ＿Ｎ  無線基地局、３，３Ａ，３Ｂ  ＧＰＳユニット、４Ａ，４Ｂ  レイヤ２スイッチ、５  レイヤ３スイッチ、６  ＥＭＳ、１２  基準信号生成部、１３，２８，２９  アンテナ、１４  リセット制御部、１５  通信Ｉ／Ｆ部、１６，２７  アドレス管理部、１８  状態管理部、２１  送受信回路、２２  電力制御部、２３  ＰＬＬ回路、２４  第１の通信Ｉ／Ｆ部、２５  第２の通信Ｉ／Ｆ部、２６  ＧＰＳ状態管理部、３１  周期タイマ、５０Ａ，５０Ｂ  ドメイン、５１Ａ＿１〜５１Ａ＿Ｎ，５１Ｂ＿１〜５１Ｂ＿Ｎ  通信ケーブル、５２Ａ＿１〜５２Ａ＿Ｎ，５２Ｂ＿１〜５２Ｂ＿Ｎ，５３Ａ，５３Ｂ，５４Ａ＿１〜５４Ａ＿Ｎ，５４Ｂ＿１〜５４Ｂ＿Ｎ，５５  イーサネット（登録商標）。
【図１】
0005391503.tif 000002
【図２】
0005391503.tif 000003
【図３】
0005391503.tif 000004
【図４】
0005391503.tif 000005
【図５】
0005391503.tif 000006